(57)【特許請求の範囲】
【請求項１】
泡発生液を貯めておく為のタンクと、空気供給手段と、タンク内に配されるとともに空気供給手段から供給される空気を泡発生液中で吐出して泡を発生させる泡発生部と、発生した泡をタンクに備えた泡流出口を介して便器内に供給する泡供給手段と、タンクの内部空間を分割する隔壁とを設け、隔壁により分割された一方の内部空間に上記泡発生部及び泡流出口を配するとともに、隔壁により分割された両内部空間の泡発生液を連通させる為の連通部を隔壁のタンク底部近傍に形成して成る便器用泡発生装置において、上記連通部より上方に、隔壁により分割された両内部空間の泡発生液上方に夫々存在する空気層を連通させる為の第二連通部を形成したことを特徴とする便器用泡発生装置。
【請求項２】
第二連通部を、隔壁とタンク側壁の隙間として形成したことを特徴とする請求項１に記載の便器用泡発生装置。
【請求項３】
第二連通部を、隔壁に設けた細かい貫通孔として形成したことを特徴とする請求項１に記載の便器用泡発生装置。
【請求項４】
第二連通部を、隔壁の少なくとも一部を多孔質材により構成することで形成したことを特徴とする請求項１に記載の便器用泡発生装置。
【発明の詳細な説明】
【０００１】
【発明の属する技術分野】
本発明は、便器用泡発生装置に関する。
【０００２】
【従来の技術】
従来この種の便器用泡発生装置としては、例えば特開昭５２−６４１４３号公報に記載されているように、起泡液槽内にて空気ポンプにより起泡液を発泡させ、生じた泡を便器内に送り込む方式のものが広く知られており、この泡が便器内の溜水面上を覆うことで、便器内からの悪臭の遮断、排便時における水の跳ね返り防止、及び、便器内の洗浄といった効果を得るものである。起泡液としては洗剤を水で希釈したものを用いることが一般的であり、例えば上記した従来の便器用泡発生装置においては、起泡液槽内にフロート弁が設けられるとともに、水や一定濃度の洗剤を外部より供給することで起泡液の液面を一定に保つようになっている。
【０００３】
ただ、この便器用泡発生装置にあっては、原液となる洗剤を外部より供給する為の洗剤供給経路が必要になるとともに、水の自動供給の為に複雑な機構が必要となり、加えて、起泡液の液面を一定に保つ為にフロート弁を備えていることから、装置全体が大型化し、生産コストを低く抑えることが困難なものであった。装置の機構を単純化させるにはフロート弁等の水位検知手段を排除すれば良いのだが、その場合には液面の高さが一定せず、運転を始めてから便器内に泡を供給するまでの時間が一定しなくなるといった問題が生じる。
【０００４】
これに対して、起泡液を貯めておく為のタンク内の空間を、タンクの内底面との間に隙間を有した隔壁により分割し、分割された一方の空間に泡発生部及び泡流出口を設けることで、一方の空間において泡の発生及び供給により消費された分の起泡液が上記隙間を介して他方の空間から自然に補充されるようにした便器用泡発生部が従来から提案されている。しかし、この場合には、運転を行うことで両空間内の起泡液上方の空気圧に違いが生じる為に、両空間内における起泡液の液面を同じ高さに保持することが困難になるという問題が生じる。
【０００５】
【発明が解決しようとする課題】
本発明は上記の点に鑑みてなされたものであり、複雑な水位検知手段等を備えることなく、タンク内の液面の高さを安定に保持して運転開始から泡供給開始までの時間を安定化させることのできる便器用泡発生装置を提供することを課題とするものである。
【０００６】
【課題を解決するための手段】
上記課題を解決するために本発明を、泡発生液を貯めておく為のタンクと、空気供給手段と、タンク内に配されるとともに空気供給手段から供給される空気を泡発生液中で吐出して泡を発生させる泡発生部と、発生した泡をタンクに備えた泡流出口を介して便器内に供給する泡供給手段と、タンクの内部空間を分割する隔壁とを設け、隔壁により分割された一方の内部空間に上記泡発生部及び泡流出口を配するとともに、隔壁により分割された両内部空間の泡発生液を連通させる為の連通部を隔壁のタンク底部近傍に形成して成る便器用泡発生装置において、上記連通部より上方に、隔壁により分割された両内部空間の泡発生液上方に夫々存在する空気層を連通させる為の第二連通部を形成した便器用泡発生装置とする。
【０００７】
このようにすることで、第二連通部を介して隔壁により分割された両内部空間の空気層が略同気圧に保持されるとともに、連通部を介して泡を発生させた側の内部空間に他方の内部空間から泡発生液が補充されて、両内部空間の泡発生液の液面が略同じ高さに保持されるので、タンク内の液面の高さを安定に保持して運転開始から泡供給開始までの時間を安定させることができる。
【０００８】
また、第二連通部を、隔壁とタンク側壁の隙間として形成することも好ましく、このようにすることで、簡単な構成で第二連通部を形成することができるとともに、隔壁を下方に延設した封止蓋をタンク本体の上方から接続させてタンクを構成する場合には、隔壁の側端部の干渉が超音波溶接等の障害要因になることが防止される。
【０００９】
また、第二連通部を、隔壁に設けた細かい貫通孔として形成することも好ましく、このようにすることで、貫通孔を介して隔壁により分割された両内部空間の夫々の空気層を連通させて両者を略同気圧に保持することができる。
【００１０】
また、第二連通部を、隔壁の少なくとも一部を多孔質材により構成することで形成することも好ましく、このようにすることで、多孔質材を介して隔壁により分割された両内部空間の夫々の空気層を連通させて両者を略同気圧に保持することができる。
【００１１】
【発明の実施の形態】
以下、本発明を添付図面に示す実施の形態に基づいて説明する。図１１には本発明の実施の形態における一例の便器用泡発生装置１を一体に構成した局部洗浄装置５０を示している。局部洗浄装置５０とは便器５１上に固定されるものであり、主制御手段を備えた局部洗浄装置本体５２と、便座５３と、便座５３の上方を開閉する便蓋５４とを備えている。更に局部洗浄装置本体５２には、洗浄手段と、便器用泡発生装置１と、操作手段と、人体検出センサとが接続されている。
【００１２】
局部洗浄装置５０の基本構成について、図１１に基づいて更に詳細な説明を行う。上記主制御手段は、操作手段からの操作信号に応じて、便座５３に対しては便座温度を、洗浄手段に対しては洗浄温度及び洗浄流量を、便器用泡発生装置１に対しては泡発生量を、夫々制御するものである。
【００１３】
上記便座５３には、便座温度調節手段や着座検出センサ等が備えられている。
この便座温度調節手段は、便座温度可変手段、便座温度検出手段により構成されたものであり、主制御手段からの便座温度変更指示を受けて、指定された温度に便座を保持するものである。着座検出センサは、使用者が着座したことを検出して、その検出情報を主制御手段に伝達するものである。
【００１４】
上記洗浄手段は、洗浄温度可変手段、洗浄流量可変手段等で構成されており、主制御手段からの洗浄温度変更指示及び洗浄流量変更指示を受けて、指示された温度及び流量でおしり洗浄やビデ洗浄といった局部洗浄を行うものである。
【００１５】
上記便器用泡発生装置１は、泡２２を発生させて便器５１内に供給するものであり、泡発生速度や泡発生時間を変更することにより泡発生量を調節する手段を備えている。便器用泡発生装置１の具体的な構成は後に詳述する。
【００１６】
上記操作手段は、便座操作部、洗浄操作部、泡発生操作部により構成されている。便座操作部には、便座温度を変更する為の便座温度操作キーが配されており、洗浄操作部には、お尻洗浄やビデ洗浄を行う為の洗浄操作キーと、洗浄水の温度を変更する為の洗浄温度操作キーと、洗浄時の洗浄流量を変更する為の洗浄流量操作キーとが配されている。泡発生操作部には、手動泡発生操作キーと、泡発生量操作キーと、泡発生モード切換キーとが配されている。操作手段に備えたこれらのキーを使用者が操作すると、そのキー入力情報は主制御手段へと伝達される。
【００１７】
上記人体検出センサは、例えば赤外線センサや超音波センサを用いて使用者のトイレへの入室を検出するものである。
【００１８】
次に、便器用泡発生装置１の構成について詳細な説明を行う。図１には便器用泡発生装置１の全体概略図を、図２には分解図を示している。便器用泡発生装置１は、泡発生液１６を貯めておく為のタンク２を備えるとともに、該タンク２の上側に泡発生装置本体８を装着している。また、上記泡発生装置本体８は局部洗浄装置５０と一体に構成されている。
【００１９】
タンク２は、上方の開口したタンク本体３と、該タンク本体３の上方に超音波溶接等で一体に接続させた封止蓋４とで構成されている。封止蓋４に形成した取付口６３にはタンク蓋７を着脱自在に設けており、該タンク蓋７にはタンク２の内部と外部を連通させる泡流出部７ａ及び空気導入部７ｂを設けている。泡発生装置本体８には、空気ポンプ９と供給経路部材１２を配設している。この供給経路部材１２は、便器５１内に泡２２を供給する泡供給口（図示せず）とタンク蓋７の泡流出部７ａの一端を接続させる泡供給経路１２ａと、空気ポンプ９とタンク蓋７の空気導入部７ｂの一端を接続させる空気供給経路１２ｂを備えたものである。タンク２内に配された多孔質から成る泡発生部１０は、管１５を介して空気導入部７ｂの他端開口部と接続されており、更に空気供給経路１２ｂを介して空気ポンプ９と接続されている。
【００２０】
泡流出部７ａと泡供給経路１２ａとはＯリング１３ａの介在により気密性を持って接続されている。本例では泡流出部７ａを雄形状に形成するとともに泡供給経路１２ａを雌形状に形成し、Ｏリング１３ａを泡流出部７ａの外周に装着させているので、雄形状の泡流出部７ａを雌形状の泡供給経路１２ａに挿入させることで、Ｏリング１３ａのシールにより気密性を保持した状態で泡流出部７ａと泡供給経路１２ａを接続させることができる。加えて、このようにＯリング１３ａを泡流出部７ａ側に配することにより、タンク２の取り外しと共にＯリング１３ａを泡発生装置本体８側から取り外すことができ、Ｏリング１３ａが消耗した場合等には交換を容易に行うことができる。空気導入部７ｂと空気供給経路１２ｂにおいても同様に、Ｏリング１３ｂの介在により気密性を持って両者が接続されている。
【００２１】
供給経路部材１２の泡供給経路１２ａ及び空気供給経路１２ｂにはグリスを塗布していても構わない。このようにグリスを供給経路部材１２側に配することにより、タンク２を取り外した際にもグリスは泡発生装置本体８側にあることとなり、使用者によって拭き取れられてしまう可能性が低くなる。
【００２２】
次に、本発明の特徴的な構成である第二連通部について説明する。本例の便器用泡発生装置１においては、封止蓋４の下面から下方に隔壁６０が延設されており、封止蓋４をタンク本体３に一体に接続させてタンク２を組み立てた状態では、上記隔壁６０によってタンク２の内部空間が二分割されるようになっている。二分割された内部空間の一方である空間Ａには、下部に泡発生部１０を配するとともに上部に取付口６３を設けており、泡発生部１０により泡発生液１６から発生した泡２２が、上記取付口６３に取り付けたタンク蓋７に設けた泡流出部７ａのタンク２側開口面である泡流出口（図示せず）からタンク２の外部に流出するようになっている。
【００２３】
また、組み立てた状態において、隔壁６０の下端部６０ａとタンク本体３の内底面３ａとの間に図９等に示すような５ｍｍ程度の隙間ｄ′が形成されるように隔壁６０を設けている。この隙間ｄ′が、隔壁６０により二分割された内部空間のもう一方の空間である空間Ｂと空間Ａの夫々に充填される泡発生液１６を連通させる連通部の役割を果たし、該隙間ｄ′を介して、空間Ｂから空間Ａに泡発生液１６が補充されるようになっている。
【００２４】
更に、組み立てた状態において、隔壁６０の両側端部６０ｂ，６０ｂとタンク本体３の両側壁内面３ｂ，３ｂの間に夫々１ｍｍ程度の隙間ｄ″が形成されるように隔壁６０を設けている。このような１ｍｍ程度の隙間ｄ″では、泡発生液１６の発泡により生じた泡２２は圧力損失により殆ど通過することがなく、且つ、発泡していない状態の泡発生液１６や空気は自由に通過することができる。従って、上記隙間ｄ″が空間Ａと空間Ｂにおいて泡発生液１６上方に夫々存在する空気層を連通させて両者を略同気圧に保持する第二連通部の役割を果たすこととなる。また、隙間ｄ′や隙間ｄ″を形成するように隔壁６０を設けることで、封止蓋４をタンク本体３に超音波溶接等で接続させる際にも、隔壁６０の下端部６０ａや両側端部６０ｂ，６０ｂの干渉が障害要因となることが防止される。
【００２５】
但し、第二連通部としては、本例のように隔壁６０とタンク本体３の側壁内面３ｂとの隙間ｄ″により形成するのでなく、若しくはそれに加えて、隔壁６０に細かい貫通口（図示せず）を設けることで形成したものであっても良いし、隔壁６０の少なくとも一部を多孔質材（図示せず）により構成することで形成したものであっても良い。
【００２６】
次に、タンク２を泡発生装置本体８に着脱自在に装着させる為の構成について説明する。泡発生装置本体８には、泡発生装置本体８の前後方向を長手方向とした長穴であるとともに後側より前側を幅広としたガイド部１１を備えている。タンク２には、封止蓋４の上面に立設されるとともに段部を介して上側が下側より幅広となるような略逆Ｌ字状に形成された固定部５を備えている。段部における固定部５の最大幅はガイド部１１前側の幅より小さく、且つ、ガイド部１１後側の幅より大きく形成しており、加えて、固定部５の段部よりも下側の幅はガイド部１１後側の幅より小さく形成しているので、図４（ａ）〜（ｃ）に示すように固定部５をガイド部１１前側の下方より挿入したのちに後方に移動させれば、固定部５はガイド部１１に案内されてスライドするとともに、固定部５とガイド部１１の係合によりタンク２は泡発生装置本体８に着脱自在に装着される。
【００２７】
また、供給経路部材１２及び泡発生装置本体８の接続箇所においては、図５に示すように供給経路部材１２の取付部１２ｃが泡発生装置本体８に固定される際に例えば０．３ｍ程度の隙間ｄを前後左右に設けて装着されるような構造にしている。この構造は、取付部１２ｃつまり供給経路部材１２と泡発生装置本体８とを一定範囲内で移動自在として位置調節を行う為の構造であり、このようにすることで、固定部５とガイド部１１の寸法にばらつきが生じた場合等にもＯリング１３ａやＯリング１３ｂが変形することなく、気密性が保持される。但し、上記隙間ｄを設ける代りに、同様の隙間（図示せず）をタンク蓋７と封止蓋４の間に設けても良く、この場合も同様の効果が得られる。
【００２８】
タンク２と泡発生装置本体８との装着箇所には更に、クリック構造を設けている。具体的には、図６に示すようにタンク２の封止蓋４の上面にクリック用突部１７を設け、泡発生装置本体８のクリック用突部１７と対向する位置には、略長方形の穴部１８を設けるとともに該穴部１８の後側の内側面から一対の係止部１９を泡発生装置本体８の下面と平行に延設している。上記一対の係止部１９は、両者の隙間が先端部側のみクリック用突部１７の幅より小さくなるよう弾性体により形成しているので、図７（ａ）〜（ｃ）に示すように、タンク２の前方から後方へのスライドに伴ってクリック用突部１７は一対の係止部１９の先端部を押し広げながら係止部１９間に侵入し、所定の位置までスライドしたときにクリック用突部１７が係止部１９の先端部より根元側の隙間に嵌合する。この嵌合の際に使用者はクリック感を得て、Ｏリング１３ａやＯリング１３ｂの気密性が確保された状態にあることを知ることができる。
【００２９】
上記したクリック構造を設ける代りに、若しくは、それに加えて、ロック構造を設けても構わない。ロック構造としては、例えば図８（ａ）、（ｂ）に示すようにタンク２側にロック用突部２０を設け、泡発生装置本体８側にはフック２１を設けて、Ｏリング１３ａやＯリング１３ｂの気密性が確保された状態となるまでタンク２がスライドしたときに、フック２１とロック用突部２０の係合によりロックがなされて、タンク２が泡発生装置本体８に着脱自在に固定される構造にすれば良い。これによれば上記ロックを解除しないとタンク２は取り外せないので、タンク２が不用意に外れてしまうことがない。
【００３０】
また、クリック構造やロック構造の代りに、若しくは、それに加えて、タンク２の装着の際にＯリング１３ａやＯリング１３ｂの気密性が確保されたか否かを電気的な判定により検出するタンク装着センサ（図示せず）を設けるとともに、該タンク装着センサの検出結果を使用者に表示する為の装着表示部（図示せず）を設けても良い。上記タンク装着センサとしては、プッシュ式のリミットスイッチや、ホール素子によるリードスイッチ等を用いる。更に、タンク装着センサによりＯリング１３ａやＯリング１３ｂの気密性が確保されていないと検出された場合には泡２２の発生を停止させるように設定するとともに、泡２２の発生を停止した状態であることを使用者に表示する為の泡停止表示部（図示せず）を設けることも好ましい。
【００３１】
次に、便器用泡発生装置１の実際の操作について詳細な説明を行う。まず、タンク２内に泡発生液１６を補充するには、泡発生装置本体８から取り外して図３に示すような状態にあるタンク２から、泡発生液供給口６４を塞ぐ泡発生液供給口蓋６８を取り外し、例えば１０倍から１００倍に希釈した洗剤を泡発生液１６として泡発生液供給口６４から補充する。補充後は、泡発生液供給口蓋６８を取り付けたうえでタンク２の固定部５を泡発生装置本体８のガイド部１１の下方より挿入し、ガイド部１１の案内に従ってタンク２をクリック感が得られる位置まで泡発生装置本体８の後方に向けてスライドさせれば良い。
【００３２】
使用者が泡発生モード切換キーを操作して例えば自動泡発生モードを選択した場合には、人体検出センサによるトイレへの入室検出、或いは、着座検出センサによる便座への着座検出に伴って、空気ポンプ９から送り込まれた空気が泡２２となって泡発生部１０から吐出され、タンク２内で泡発生液１６を発泡させる。既述したように生じた泡２２は１ｍｍ程度の隙間ｄ″を殆ど通過することがないので、空間Ａ内にて泡２２が充満する。空間Ａの上部に位置する泡流出口に到達した泡２２は、その後に泡流出部７ａ及び泡供給経路１２ａ等を経由して泡供給口から便器５１内に供給される。運転開始から所定時間経過すると空気ポンプ９は自動停止し、便器５１への泡２２の供給が停止する。
【００３３】
本例のような隔壁６０を設けて空間Ａを形成することで、空気ポンプ９から空気の供給を開始してから便器５１内に泡２２が供給されるまでの時間が短縮される。更に、泡２２の発生及び供給により空間Ａ内の泡発生液１６は減少するが、隙間ｄ′と隙間ｄ″を介して空間Ａと空間Ｂの夫々に充填されている泡発生液１６は連通しており、更に、隙間ｄ″の上部を介して空間Ａと空間Ｂの夫々の泡発生液１６上方に存在する空気層が連通しているので、両者の空気層が略同気圧に保持されるとともに隙間ｄ′及び隙間ｄ″を介して空間Ｂ内から空間Ａ内に泡発生液１６が補充され、両者の泡発生液１６の液面は略同じ高さに保持される。
【００３４】
また、第二連通部として、隔壁６０に細かい貫通口を設けた場合や、隔壁６０の少なくとも一部を多孔質材により構成した場合についても、同様の効果を得ることができる。
【００３５】
使用者が泡発生モード切換キーを操作して例えば手動泡発生モードを選択した場合には、使用者が手動泡発生操作キーを押下することで空気ポンプ９は運転を開始し、運転開始から所定時間経過後に自動停止する。また、運転中に使用者が手動泡発生操作キーを再び押下することで空気ポンプ９が停止するようにしても良い。
【００３６】
泡２２の発生量については、図１０にも示されているように泡発生量と泡発生時間は略正比例の関係にあり、従って、運転開始から停止までの所定時間を泡発生量操作キーの操作により或る範囲内で変更することで、泡発生量を自在に変更することができる。
【００３７】
自動泡発生モードにおける便器用泡発生装置１の運転を開始するタイミングは、人体の便座５３からの離座検出やトイレからの退室検出と連動させても良い。具体的には、局部洗浄装置５０の使用後に、着座検出センサ或いは人体検出センサがオフになった直後若しくは一定時間経過後に便器用泡発生装置１の運転を開始するような設定とする。運転により発生した泡２２は２〜３時間消滅しないので、長時間の留守後に使用する場合や起床後初めて使用する場合以外は便器５１内に常時泡２２が存在することとなり、従って、使用者は入室後に便器５１内に泡２２が溜まるまでの時間を待つ必要なく即座に排便行為を行うことができる。
【００３８】
タンク２は例えば透明或いは半透明の樹脂にて形成されており、使用者は泡発生液１６の残量を目視にて確認することができる。残量が少なくなったと確認される場合には、再びタンク２を取り外して泡発生液１６を補充し、再装着すれば良い。
【００３９】
本例のように、空気ポンプ９から空気を送り込むことにより泡発生液１６を発泡させ、生じた泡２２を泡供給口から便器５１内に供給する手段を用いることで、泡２２を十分に発生させることができるとともに、泡２２が便器５１内に附着した際にも流れ難いことから高い洗浄効果を得ることができる。また、便器５１内の溜水面上を泡２２で覆うことにより、便器５１内からの悪臭の遮断、排便時における水の跳ね返り防止といった効果を得ることもできる。
【００４０】
【発明の効果】
上記のように請求項１に記載の発明にあっては、第二連通部を介して隔壁により分割された両内部空間の空気層が略同気圧に保持されるとともに、連通部を介して泡を発生させた側の内部空間に他方の内部空間から泡発生液が補充されるので、両内部空間の泡発生液の液面が略同じ高さ保持され、これによりタンク内の液面の高さを安定に保持して運転開始から泡供給開始までの時間を安定させることができるという効果がある。
【００４１】
また、請求項２に記載の発明にあっては、請求項１に記載の発明の効果に加えて、簡単な構成で第二連通部を形成することができるとともに、隔壁を下方に延設した封止蓋をタンク本体の上方から接続させてタンクを構成する場合には、隔壁の側端部の干渉が超音波溶接等の障害要因になることが防止されるという効果がある。
【００４２】
また、請求項３に記載の発明にあっては、請求項１に記載の発明の効果に加えて、貫通孔を介して隔壁により分割された両内部空間の夫々の空気層を連通させることにより、両者を効率的に略同気圧に保持することができるという効果がある。
【００４３】
また、請求項４に記載の発明にあっては、請求項１に記載の発明の効果に加えて、多孔質材を介して隔壁により分割された両内部空間の夫々の空気層を連通させることにより、両者を効率的に略同気圧に保持することができるという効果がある。
【図面の簡単な説明】
【図１】本発明の実施の形態における一例の便器用泡発生装置の全体斜視図である。
【図２】同上の便器用泡発生装置の分解斜視図である。
【図３】同上の泡発生装置本体から取り外した状態のタンクを示す説明図である。
【図４】同上のガイド部と固定部における装着手順の説明図であり、（ａ）は装着前の状態、（ｂ）は装着途中の状態、（ｃ）は装着後の状態を示している。
【図５】同上の供給経路と泡発生装置本体における位置調節構造の説明図であり、（ａ）は装着前の状態、（ｂ）は装着後の状態を示している。
【図６】同上のクリック構造の説明図である。
【図７】同上のタンク装着時におけるクリック構造の挙動を示す説明図であり、（ａ）は固定前の状態、（ｂ）は固定途中の状態、（ｃ）は固定後の状態を示している。
【図８】同上のロック構造を用いた固定方法の説明図であり、（ａ）は固定前の状態、（ｂ）は固定後の状態を示している。
【図９】同上のタンクの一部破断側面図である。
【図１０】同上の泡発生時間と泡発生量との関係を示すチャート図である。
【図１１】同上の局部洗浄装置における基本構成の説明図である。
【符号の説明】
１  便器用泡発生装置
２  タンク
３  タンク本体
３ａ  内底面
３ｂ  側壁内面
７ａ  泡流出部
７ｂ  空気導入部
９  空気ポンプ
１２  供給経路部材
１２ａ  泡供給経路
１２ｂ  空気供給経路
１６  泡発生液
２２  泡
５１  便器
６０  隔壁
ｄ′、ｄ″  隙間
Ａ、Ｂ  空間
【図１】
0004639535.tif 000002
【図２】
0004639535.tif 000003
【図３】
0004639535.tif 000004
【図４】
0004639535.tif 000005
【図５】
0004639535.tif 000006
【図６】
0004639535.tif 000007
【図７】
0004639535.tif 000008
【図８】
0004639535.tif 000009
【図９】
0004639535.tif 000010
【図１０】
0004639535.tif 000011
【図１１】
0004639535.tif 000012